(57)【要約】      （修正有）【課題】冷媒の漏洩が生じた場合において漏洩が生じていない箇所での運転を継続させる場合であっても、冷媒の漏洩程度を小さく抑えることが可能な冷凍装置を提供する。【解決手段】コントローラ７０は、液側冷媒連絡配管６およびガス側冷媒連絡配管７を介して並列接続された第１利用ユニット５０、第２利用ユニット６０のいずれかの内部において冷媒漏洩状況が所定条件を満たした場合に、漏洩ユニットの利用側熱交換器の液側冷媒連絡配管６側に設けられた開閉弁を閉じる制御と、非漏洩ユニットの利用側熱交換器の液側冷媒連絡配管６側に設けられた開閉弁を開いたままにする制御を行いつつ、各開閉弁の液側冷媒連絡配管６側における冷媒圧力を、冷媒漏洩状況が所定条件を満たした際の冷媒圧力よりも下げる。【選択図】図１
2018036030.tif 000002
【特許請求の範囲】
【請求項１】
圧縮機（２１）と熱源側熱交換器（２３）を有する熱源ユニット（２）と、
前記熱源ユニットに対して液側冷媒連絡配管（６）およびガス側冷媒連絡配管（７）を介して並列に接続される複数の利用ユニット（５０、６０）と、
制御部（７０）と、
を備え、
複数の前記利用ユニットは、それぞれ、利用側熱交換器と、前記利用側熱交換器に対して前記液側冷媒連絡配管側に設けられた利用側弁（５５、６５、１５５、１６５）と、を有し、
前記制御部は、複数の前記利用ユニットのいずれかにおける冷媒漏洩状況が所定条件を満たした場合に、前記所定条件を満たした前記利用ユニットである漏洩ユニットが有する前記利用側弁は閉じた状態とし、前記所定条件を満たしていない前記利用ユニットである非漏洩ユニットのうち前記漏洩ユニットが前記所定条件を満たした際に運転中であったものが有する前記利用側弁は開いた状態としつつ、複数の前記利用側弁の前記液側冷媒連絡配管側における冷媒圧力を前記漏洩ユニットが前記所定条件を満たした際の冷媒圧力よりも下げる圧力制御を行う、
冷凍装置（１００、１００ａ）。
【請求項２】
前記熱源ユニットは、前記熱源側熱交換器で放熱を行った冷媒の圧力を下げる熱源側膨張弁（２８）を有しており、
前記制御部は、前記漏洩ユニットが前記所定条件を満たした際の前記熱源側膨張弁における減圧程度よりも、前記漏洩ユニットが前記所定条件を満たした後の前記熱源側膨張弁における減圧程度の方が大きくなるように前記熱源側膨張弁を制御することで前記圧力制御を行う、
請求項１に記載の冷凍装置。
【請求項３】
前記熱源側熱交換器で放熱を行った冷媒を複数の前記利用ユニット側に送る冷媒経路（３２、６）から分岐させて前記圧縮機に導く過冷却管（２６）と、
前記過冷却管の途中に設けられ、通過する冷媒を減圧する過冷却膨張弁（２７）と、
前記過冷却管を流れる冷媒のうち前記過冷却膨張弁で減圧された冷媒と、前記冷媒経路を流れる冷媒と、の間で熱交換を行わせる過冷却熱交換器（２５）と、
をさらに備えた請求項２に記載の冷凍装置。
【請求項４】
前記制御部は、前記漏洩ユニットが前記所定条件を満たした際の前記圧縮機における駆動周波数よりも、前記漏洩ユニットが前記所定条件を満たした後の前記圧縮機における駆動周波数の方が小さくなるように前記圧縮機を制御することで前記圧力制御を行う、
請求項１に記載の冷凍装置。
【請求項５】
前記熱源ユニットは、前記熱源側熱交換器に空気流れを送るための熱源側ファン（３４）を有しており、
前記制御部は、前記漏洩ユニットが前記所定条件を満たした際の前記熱源側ファンによる風量よりも、前記漏洩ユニットが前記所定条件を満たした後の前記熱源側ファンによる風量の方が大きくなるように前記熱源側ファンを制御することで前記圧力制御を行う、
請求項１に記載の冷凍装置。
【発明の詳細な説明】
【技術分野】
【０００１】
本発明は、冷凍装置に関する。
【背景技術】
【０００２】
従来より、圧縮機、熱源側熱交換器、膨張弁、利用側熱交換器が接続されて構成される冷媒回路を用いて冷凍サイクルを行っている場合に、何らかの原因で利用側熱交換器やその付近の箇所から冷媒の漏洩が生じることがあった。
【０００３】
これに対して、例えば、特許文献１（特開２００２―２２８２８１号公報）に記載の例では、冷媒漏洩を検知した際に、圧縮機や各弁を制御することで自動的にポンプダウン運転が行って冷媒を熱源側熱交換器内に回収することにより、利用側熱交換器が設置されている空間への冷媒の漏れ出しを極力低減させることが提案されている。
【発明の概要】
【発明が解決しようとする課題】
【０００４】
これに対して、例えば、利用側熱交換器が複数台接続されて構成されている冷媒回路においては、複数の利用側熱交換器のうちの１台において冷媒の漏洩が生じた場合に、漏洩が生じた利用側熱交換器に対して冷媒を供給するための経路に設けられた弁を閉じつつ、漏洩が生じていない利用側熱交換器においては冷媒を循環させ続けることが考えられる。
【０００５】
これにより、当該漏洩箇所からの冷媒の漏洩を抑制させつつ、漏洩が生じてない利用側熱交換器による温度管理を継続させることが可能になる。
【０００６】
ところが、このように、漏洩が生じた利用側熱交換器に対して冷媒を供給するための経路の弁を閉じる制御を行う場合であっても、弁の開度を完全に閉じきることができず、弁にわずかな隙間が生じていることがある。このような場合に、冷媒の漏洩が生じた後も圧縮機の駆動を継続させる場合には、当該閉じる制御が行われた弁に対して冷媒圧力が作用し続けるため、当該弁の隙間を冷媒が漏れ通るおそれがある。そして、当該弁の隙間を漏れ通る冷媒の量は、当該弁に作用する冷媒圧力が大きいほど大量になってしまう。
【０００７】
本願発明は、上述した点に鑑みてなされたものであり、本願発明の課題は、冷媒の漏洩が生じた場合において漏洩が生じていない箇所での運転を継続させる場合であっても、冷媒の漏洩程度を小さく抑えることが可能な冷凍装置を提供することにある。
【課題を解決するための手段】
【０００８】
第１観点に係る冷凍装置は、熱源ユニットと、複数の利用ユニットと、制御部と、を備えている。熱源ユニットは、圧縮機と熱源側熱交換器を有している。複数の利用ユニットは、熱源ユニットに対して液側冷媒連絡配管およびガス側冷媒連絡配管を介して並列に接続されている。各利用ユニットは、利用側熱交換器と、利用側弁と、を有している。利用側弁は、利用側熱交換器に対して液側冷媒連絡配管側に設けられている。制御部は、複数の利用ユニットのいずれかにおける冷媒漏洩状況が所定条件を満たした場合に、所定条件を満たした利用ユニットである漏洩ユニットが有する利用側弁は閉じた状態とし、所定条件を満たしていない利用ユニットである非漏洩ユニットのうち漏洩ユニットが所定条件を満たした際に運転中であったものが有する利用側弁は開いた状態としつつ、圧力制御を行う。圧力制御では、制御部は、複数の利用側弁の液側冷媒連絡配管側における冷媒圧力を、漏洩ユニットが所定条件を満たした際の冷媒圧力よりも下げる。
【０００９】
ここで、冷媒漏洩状況が所定条件を満たす場合とは、特に限定されるものではなく、例えば、利用ユニット内における漏れ冷媒濃度が所定濃度以上になったことをセンサで把握した場合や、利用ユニット内の冷媒が流れる部分の圧力または温度のセンサによる検知値が変化・低下した場合が含まれる。
【００１０】
この冷凍装置では、複数の利用ユニットのいずれかで冷媒漏洩状況が所定条件を満たした場合に、漏洩ユニットが有する利用側弁は閉じた状態とされる。これにより、圧縮機から吐出され熱源側熱交換器を通過した冷媒が、漏洩ユニットの利用側弁の利用側熱交換器側に流れて行きにくくすることが可能になり、漏洩ユニットからの冷媒漏洩量を少なく抑えることが可能になる。
【００１１】
さらに、非漏洩ユニットのうち運転中であったものの利用側弁は開いた状態とされる。このため、漏洩ユニットに対する冷媒の循環を避けつつ、非漏洩ユニットの利用側熱交換器については冷媒を循環させ、冷媒の蒸発器として利用し続けることが可能になる。したがって、非漏洩ユニットについては、冷却対象を冷却させ続けることが可能になる。
【００１２】
ここで、一般に、利用側弁では、全閉状態に制御しようとしても、完全に閉じきることができず、意図せず僅かに弁開度が開いた状態になることがある。このように意図せず弁開度が僅かに開いた状態になる場合には、漏洩ユニットの利用側弁を漏れ通る冷媒が利用側熱交換器側に向けて流れて行ってしまい、意図せず漏洩状態が継続してしまうおそれがある。このような漏洩ユニットの利用側弁を漏れ通る冷媒量は、漏洩ユニットにおける利用側弁の液側冷媒連絡配管側における冷媒の圧力が高い場合に多くなりやすい。そして、非漏洩ユニットに対して冷媒を循環させ続ける場合には、非漏洩ユニットも漏洩ユニットもいずれも熱源ユニットに対して並列に接続されているため、漏洩ユニットにおける利用側弁の液側冷媒連絡配管側には冷媒の圧力が作用し続けることになる。
【００１３】
これに対して、この冷凍装置では、制御部が圧力制御を行うことで、複数の利用側弁の液側冷媒連絡配管側における冷媒圧力を、漏洩ユニットが所定条件を満たした際の冷媒圧力よりも下げている。このため、漏洩ユニットの利用側弁において意図せず僅かに弁開度が開いた状態になったとしても、非漏洩ユニットに対して冷媒を循環させ続けながら、漏洩ユニットの利用側弁を漏れ通る冷媒量を少なく抑えることが可能になる。
【００１４】
以上により、冷媒の漏洩が生じた場合において漏洩が生じていない箇所での運転を継続させる場合であっても、冷媒の漏洩程度を小さく抑えることが可能になる。
【００１５】
第２観点に係る冷凍装置は、第１観点に係る冷凍装置であって、熱源ユニットは、熱源側熱交換器で放熱を行った冷媒の圧力を下げる熱源側膨張弁を有している。制御部は、漏洩ユニットが所定条件を満たした際の熱源側膨張弁における減圧程度よりも、漏洩ユニットが所定条件を満たした後の熱源側膨張弁における減圧程度の方が大きくなるように熱源側膨張弁を制御することで圧力制御を行う。
【００１６】
この冷凍装置では、制御部が、熱源側膨張弁を用いた圧力制御を行うことにより、熱源側熱交換器で放熱した後の利用側熱交換器に向かう冷媒の圧力を下げることができている。これにより、放熱器としての熱源側熱交換器を流れる冷媒の圧力を大きく下げる必要を無くすることが可能になる。
【００１７】
第３観点に係る冷凍装置は、第２観点に係る冷凍装置であって、過冷却管と、過冷却膨張弁と、過冷却熱交換器と、をさらに備えている。過冷却管は、熱源側熱交換器で放熱を行った冷媒を、複数の利用ユニット側に送る冷媒経路から分岐させて、圧縮機に導く。過冷却膨張弁は、過冷却管の途中に設けられ、通過する冷媒を減圧する。過冷却熱交換器は、過冷却管を流れる冷媒のうち過冷却膨張弁で減圧された冷媒と、冷媒経路を流れる冷媒と、の間で熱交換を行わせる。
【００１８】
圧縮機に導くとは、圧縮機の吸入側に導く場合であってもよいし、圧縮機における圧縮工程の途中段階に導く場合であってもよい。
【００１９】
この冷凍装置では、熱源側膨張弁に向かう冷媒を過冷却させることが可能になるため、熱源側熱交換器を通過した後の冷媒の圧力を熱源側膨張弁を用いて下げることにより圧力制御を行う場合であっても、熱源側膨張弁から非漏洩ユニット側に向けて流れる冷媒のフラッシュを抑制させることが可能になる。
【００２０】
第４観点に係る冷凍装置は、第１観点に係る冷凍装置であって、制御部は、漏洩ユニットが所定条件を満たした際の圧縮機における駆動周波数よりも、漏洩ユニットが所定条件を満たした後の圧縮機における駆動周波数の方が小さくなるように圧縮機を制御することで圧力制御を行う。
【００２１】
この冷凍装置では、圧縮機の駆動周波数を小さくすることにより、複数の利用側弁の液側冷媒連絡配管側における冷媒圧力を容易に下げることが可能になる。
【００２２】
第５観点に係る冷凍装置は、第１観点に係る冷凍装置であって、熱源ユニットは、熱源側熱交換器に空気流れを送るための熱源側ファンを有している。制御部は、漏洩ユニットが所定条件を満たした際の熱源側ファンによる風量よりも、漏洩ユニットが所定条件を満たした後の熱源側ファンによる風量の方が大きくなるように熱源側ファンを制御することで圧力制御を行う。
【００２３】
この冷凍装置では、熱源側ファンの風量を大きくすることにより、複数の利用側弁の液側冷媒連絡配管側における冷媒圧力を容易に下げることが可能になる。
【発明の効果】
【００２４】
第１観点に係る冷凍装置では、冷媒の漏洩が生じた場合において漏洩が生じていない箇所での運転を継続させる場合であっても、冷媒の漏洩程度を小さく抑えることが可能になる。
【００２５】
第２観点に係る冷凍装置では、放熱器としての熱源側熱交換器を流れる冷媒の圧力を大きく下げる必要を無くすることが可能になる。
【００２６】
第３観点に係る冷凍装置では、熱源側膨張弁から非漏洩ユニット側に向けて流れる冷媒のフラッシュを抑制させることが可能になる。
【００２７】
第４観点に係る冷凍装置では、複数の利用側弁の液側冷媒連絡配管側における冷媒圧力を容易に下げることが可能になる。
【００２８】
第５観点に係る冷凍装置では、熱源側ファンの風量を大きくすることにより、複数の利用側弁の液側冷媒連絡配管側における冷媒圧力を容易に下げることが可能になる。
【図面の簡単な説明】
【００２９】
【図１】本発明の一実施形態に係る冷凍装置の全体構成図。
【図２】コントローラの概略構成と、コントローラに接続される各部と、を模式的に示したブロック図。
【図３】冷媒漏洩制御モード時のコントローラの処理の流れの一例を示したフローチャート。
【図４】変形例Ａに係る冷媒回路を有する冷凍装置の全体構成図。
【図５】変形例Ｂに係る冷媒漏洩制御モード時のコントローラの処理の流れの一例を示したフローチャート。
【図６】変形例Ｃに係る冷媒漏洩制御モード時のコントローラの処理の流れの一例を示したフローチャート。
【発明を実施するための形態】
【００３０】
以下、図面を参照しながら、本発明の一実施形態に係る冷凍装置１００について説明する。なお、以下の実施形態は、本発明の具体例であって、本発明の技術的範囲を限定するものではなく、発明の要旨を逸脱しない範囲で適宜変更が可能である。
【００３１】
（１）冷凍装置１００
図１は、本発明の一実施形態に係る冷凍装置１００の概略構成図である。冷凍装置１００は、蒸気圧縮式の冷凍サイクルによって、冷蔵倉庫や店舗のショーケースの庫内等の利用側空間の冷却を行う装置である。
【００３２】
冷凍装置１００は、主として、熱源ユニット２と、複数（ここでは２台）の利用ユニット（第１利用ユニット５０、第２利用ユニット６０）と、熱源ユニット２と第１利用ユニット５０、第２利用ユニット６０とを接続する液側冷媒連絡配管６およびガス側冷媒連絡配管７と、各利用ユニット内の冷媒漏洩を検出する冷媒漏洩センサ（第１利用ユニット５０内の冷媒漏洩を検出する第１冷媒漏洩センサ８１、第２利用ユニット６０内の冷媒漏洩を検出する第２冷媒漏洩センサ８２）と、入力装置および表示装置としての複数のリモコン（第１リモコン５０ａ、第２リモコン６０ａ）と、冷凍装置１００の動作を制御するコントローラ７０と、を有している。
【００３３】
冷凍装置１００では、１台の熱源ユニット２に対して、液側冷媒連絡配管６およびガス側冷媒連絡配管７を介して、第１利用ユニット５０と第２利用ユニット６０とが互いに並列に接続されることで、冷媒回路１０が構成されている。冷凍装置１００では、冷媒回路１０内に封入された冷媒が、圧縮され、冷却又は凝縮され、減圧され、加熱又は蒸発された後に、再び圧縮される、という冷凍サイクルが行われる。本実施形態では、冷媒回路１０には、蒸気圧縮式の冷凍サイクルを行うための冷媒としてＲ３２が充填されている。
【００３４】
（１−１）熱源ユニット２
熱源ユニット２は、液側冷媒連絡配管６およびガス側冷媒連絡配管７を介して第１利用ユニット５０および第２利用ユニット６０が並列に接続されており、冷媒回路１０の一部を構成している。熱源ユニット２は、主として、圧縮機２１と、熱源側熱交換器２３と、熱源側ファン３４と、レシーバ２４と、過冷却器２５と、熱源側膨張弁２８と、ホットガスバイパス管４０と、ホットガスバイパス弁４１と、インジェクション管２６、インジェクション弁２７と、液側閉鎖弁２９と、ガス側閉鎖弁３０と、を有している。
【００３５】
また、熱源ユニット２は、圧縮機２１の吐出側と熱源側熱交換器２３のガス側端とを接続する吐出側冷媒管３１と、熱源側熱交換器２３の液側端と液側冷媒連絡配管６とを接続する熱源側液冷媒管３２と、圧縮機２１の吸入側とガス側冷媒連絡配管７とを接続する吸入側冷媒管３３と、を有している。
【００３６】
また、熱源ユニット２は、吐出側冷媒管３１を流れる冷媒の一部を分岐して、吸入側冷媒管３３を介して圧縮機２１の吸入側に戻すホットガスバイパス管４０と、ホットガスバイパス管４０の途中に設けられたホットガスバイパス弁４１と、を有している。
【００３７】
また、熱源ユニット２は、熱源側液冷媒管３２を流れる冷媒の一部を分岐して、圧縮機２１に戻すインジェクション管２６（過冷却管）と、インジェクション管２６の途中に設けられたインジェクション弁２７（過冷却膨張弁）と、を有している。インジェクション管２６は、熱源側液冷媒管３２の過冷却器２５の下流側の部分から分岐して、過冷却器２５を通過してから圧縮機２１の圧縮工程の途中に接続されている。
【００３８】
圧縮機２１は、冷凍サイクルにおける低圧の冷媒を高圧になるまで圧縮する機器である。ここでは、圧縮機２１として、ロータリ式やスクロール式等の容積式の圧縮要素（図示省略）が圧縮機モータＭ２１によって回転駆動される密閉式構造の圧縮機が使用されている。なお、図示は省略するが、本実施形態の圧縮機２１は、容量可変型の圧縮機と、１台または複数台の定速型の圧縮機と、が互いに並列接続されて構成されている。圧縮機モータＭ２１は、容量可変型の圧縮機に設けられており、インバータにより運転周波数の制御が可能である。特に限定されないが、圧縮機２１の容量を下げる場合には、容量可変型の圧縮機の運転周波数を下げ、容量可変型の圧縮機の運転周波数を下げるだけでは足りずにさらに容量を下げる場合には定速型の圧縮機を停止させる処理を行う。
【００３９】
熱源側熱交換器２３は、冷凍サイクルにおける高圧の冷媒の放熱器として機能する熱交換器である。ここで、熱源ユニット２は、熱源ユニット２内に庫外空気（熱源側空気）を吸入して、熱源側熱交換器２３において冷媒と熱交換させた後に、外部に排出するための熱源側ファン３４を有している。熱源側ファン３４は、熱源側熱交換器２３を流れる冷媒の冷却源としての熱源側空気を熱源側熱交換器２３に供給するためのファンである。熱源側ファン３４は、熱源側ファンモータＭ３４によって回転駆動される。熱源側ファン３４の風量は、熱源側ファンモータＭ３４の回転数を調節することにより制御される。
【００４０】
レシーバ２４は、熱源側熱交換器２３において凝縮した冷媒を一時的に溜める容器であり、熱源側液冷媒管３２の途中に配置されている。
【００４１】
過冷却器２５は、レシーバ２４において一時的に溜められた冷媒をさらに冷却する熱交換器であり、熱源側液冷媒管３２に（より詳細にはレシーバ２４よりも下流側の部分に）配置されている。
【００４２】
熱源側膨張弁２８は、開度制御が可能な電動膨張弁であり、熱源側液冷媒管３２に（より詳細には過冷却器２５の下流側の部分に）配置されている。
【００４３】
インジェクション弁２７は、インジェクション管２６に（より詳細には、熱源側液冷媒管３２の分岐箇所から過冷却器２５の入口に至るまでの部分に）配置されている。インジェクション弁２７は、開度制御が可能な電動膨張弁である。インジェクション弁２７は、その開度に応じて、インジェクション管２６を流れる冷媒を過冷却器２５に流入させる前に減圧する。
【００４４】
液側閉鎖弁２９は、熱源側液冷媒管３２の液側冷媒連絡配管６との接続部分に配置された手動弁である。
【００４５】
ガス側閉鎖弁３０は、吸入側冷媒管３３のガス側冷媒連絡配管７との接続部分に配置された手動弁である。
【００４６】
熱源ユニット２には、各種センサが配置されている。具体的には、熱源ユニット２の圧縮機２１周辺には、圧縮機２１の吸入側における冷媒の圧力である吸入圧力を検出する吸入圧力センサ３６と、圧縮機２１の吐出側における冷媒の圧力である吐出圧力を検出する吐出圧力センサ３７と、が配置されている。また、熱源側液冷媒管３２のうちレシーバ２４の出口と過冷却器２５の入口との間の部分には、レシーバ２４の出口における冷媒の温度であるレシーバ出口温度を検出するレシーバ出口温度センサ３８が配置されている。さらに、熱源側熱交換器２３又は熱源側ファン３４の周辺には、熱源ユニット２内に吸入される熱源側空気の温度を検出する熱源側空気温度センサ３９が配置されている。
【００４７】
熱源ユニット２は、熱源ユニット２を構成する各部の動作を制御する熱源ユニット制御部２０を有している。熱源ユニット制御部２０は、ＣＰＵやメモリ等を含むマイクロコンピュータを有している。熱源ユニット制御部２０は、各利用ユニット５０の利用ユニット制御部５７と通信線を介して接続されており、制御信号等の送受信を行う。
【００４８】
（１−２）第１利用ユニット５０
第１利用ユニット５０は、液側冷媒連絡配管６およびガス側冷媒連絡配管７を介して熱源ユニット２と接続されており、冷媒回路１０の一部を構成している。
【００４９】
第１利用ユニット５０は、第１利用側膨張弁５４と、第１利用側熱交換器５２と、を有している。また、第１利用ユニット５０は、第１利用側熱交換器５２の液側端と液側冷媒連絡配管６とを接続する第１利用側液冷媒管５９と、第１利用側熱交換器５２のガス側端とガス側冷媒連絡配管７とを接続する第１利用側ガス冷媒管５８と、を有している。
【００５０】
第１利用側膨張弁５４は、熱源ユニット２から送られてくる冷媒の減圧手段として機能する絞り機構である。本実施形態において、第１利用側膨張弁５４は、感温筒を含む感温式膨張弁であり、感温筒の温度変化に応じて作動する（開度が自動的に決まる）。
【００５１】
第１利用側熱交換器５２は、冷凍サイクルにおける低圧の冷媒の蒸発器として機能して庫内空気（利用側空気）を冷却する熱交換器である。なお、特に限定されないが、本実施形態では、第１利用ユニット５０は、扉の付いたケース（リーチインケース）の内部を冷却する用途で用いられている。
【００５２】
ここで、第１利用ユニット５０は、第１利用ユニット５０内に利用側空気を吸入して、第１利用側熱交換器５２において冷媒と熱交換させた後に、利用側空間に供給するための第１利用側ファン５３を有している。第１利用側ファン５３は、第１利用側熱交換器５２を流れる冷媒の加熱源としての利用側空気を第１利用側熱交換器５２に供給するためのファンである。第１利用側ファン５３は、第１利用側ファンモータＭ５３によって回転駆動される。
【００５３】
また、第１利用ユニット５０は、第１利用ユニット５０に流入する冷媒の流れを遮断可能な第１開閉弁５５を有している。第１開閉弁５５は、第１利用ユニット５０の液冷媒の入口側（液側冷媒連絡配管６側）に配置されている。具体的には、第１開閉弁５５は、第１利用側熱交換器５２よりも入口側に配置されている。より詳細には、第１開閉弁５５は、第１利用側膨張弁５４よりも入口側に配置されている。本実施形態において、第１開閉弁５５は、開状態と閉状態とを切換えられる電磁弁である。第１開閉弁５５は、第１利用ユニット５０（より詳細には第１利用側熱交換器５２）に流入する冷媒の流れを遮断するために、閉状態に切り換えられる。ただし、当該第１開閉弁５５は、全閉状態に制御しようとしても、完全に閉じきることができず、意図せず僅かに弁開度が開いた状態になるおそれがある。なお、第１開閉弁５５は、通常、開状態に制御される。
【００５４】
また、第１利用ユニット５０は、第１利用ユニット５０に出口側から流入（逆流）する冷媒の流れを遮断可能な第１逆止弁５１を有している。第１逆止弁５１は、第１利用ユニット５０のガス冷媒の出口側（ガス側冷媒連絡配管７側）に配置されている。具体的には、第１逆止弁５１は、第１利用側熱交換器５２よりも出口側に配置されている。第１逆止弁５１は、第１利用側ガス冷媒管５８からガス側冷媒連絡配管７に向かう冷媒の流れを許容し、ガス側冷媒連絡配管７から第１利用側ガス冷媒管５８（より詳細には第１逆止弁５１よりも第１利用側熱交換器５２側）に向かう冷媒の流れを遮断する。
【００５５】
また、第１利用ユニット５０は、第１利用ユニット５０を構成する各部の動作を制御する第１利用ユニット制御部５７を有している。第１利用ユニット制御部５７は、ＣＰＵやメモリ等を含むマイクロコンピュータを有している。第１利用ユニット制御部５７は、熱源ユニット制御部２０と通信線を介して接続されており、制御信号等の送受信を行う。第１利用ユニット制御部５７は、第１冷媒漏洩センサ８１と電気的に接続されており、第１冷媒漏洩センサ８１からの信号を出力される。
【００５６】
（１−３）第２利用ユニット６０
第２利用ユニット６０は、第１利用ユニット５０と同様の構成であり、液側冷媒連絡配管６およびガス側冷媒連絡配管７を介して熱源ユニット２と接続されており、冷媒回路１０の一部を構成している。この第２利用ユニット６０は、第１利用ユニット５０に対して並列に接続されている。
【００５７】
第２利用ユニット６０は、第２利用側膨張弁６４と、第２利用側熱交換器６２と、を有している。また、第２利用ユニット６０は、第２利用側熱交換器６２の液側端と液側冷媒連絡配管６とを接続する第２利用側液冷媒管６９と、第２利用側熱交換器６２のガス側端とガス側冷媒連絡配管７とを接続する第２利用側ガス冷媒管６８と、を有している。
【００５８】
第２利用側膨張弁６４は、熱源ユニット２から送られる冷媒の減圧手段として機能する絞り機構である。本実施形態において、第２利用側膨張弁６４は、第１利用側膨張弁５４と同様に、感温筒を含む感温式膨張弁であり、感温筒の温度変化に応じて作動する（開度が自動的に決まる）。
【００５９】
第２利用側熱交換器６２は、冷凍サイクルにおける低圧の冷媒の蒸発器として機能して庫内空気（利用側空気）を冷却する熱交換器である。なお、特に限定されないが、本実施形態では、第２利用ユニット６０は、上方が大きく開口した扉の無いケース（オープンケース）の内側を冷却する用途で用いられている。
【００６０】
ここで、第２利用ユニット６０も、第１利用ユニット５０と同様に、第２利用側ファンモータＭ６３によって回転駆動される第２利用側ファン６３を有している。
【００６１】
また、第２利用ユニット６０は、第２利用ユニット６０の液冷媒の入口側（液側冷媒連絡配管６側）に配置されており、第２利用ユニット６０に流入する冷媒の流れを遮断可能な第２開閉弁６５を有している。具体的には、第２開閉弁６５は、第２利用側熱交換器６２よりも入口側に配置されている。より詳細には、第２開閉弁６５は、第２利用側膨張弁６４よりも入口側に配置されている。本実施形態において、第２開閉弁６５は、開状態と閉状態とを切換えられる電磁弁である。第２開閉弁６５は、第２利用ユニット６０（より詳細には第２利用側熱交換器６２）に流入する冷媒の流れを遮断するために、閉状態に切り換えられる。ただし、当該第２開閉弁６５は、全閉状態に制御しようとしても、完全に閉じきることができず、意図せず僅かに弁開度が開いた状態になるおそれがある。なお、第２開閉弁６５は、通常、開状態に制御される。
【００６２】
また、第２利用ユニット６０は、第２利用ユニット６０のガス冷媒の出口側（ガス側冷媒連絡配管７側）に配置されており、第２利用ユニット６０に出口側から流入（逆流）する冷媒の流れを遮断可能な第２逆止弁６１を有している。具体的には、第２逆止弁６１は、第２利用側熱交換器６２よりも出口側に配置されている。第２逆止弁６１は、第２利用側ガス冷媒管６８からガス側冷媒連絡配管７に向かう冷媒の流れを許容し、ガス側冷媒連絡配管７から第２利用側ガス冷媒管６８（より詳細には第２逆止弁６１よりも第２利用側熱交換器６２側）に向かう冷媒の流れを遮断する。
【００６３】
また、第２利用ユニット６０は、第２利用ユニット６０を構成する各部の動作を制御する第２利用ユニット制御部６７を有している。第２利用ユニット制御部６７は、ＣＰＵやメモリ等を含むマイクロコンピュータを有している。第２利用ユニット制御部６７は、熱源ユニット制御部２０と通信線を介して接続されており、制御信号等の送受信を行う。第２利用ユニット制御部６７は、第２冷媒漏洩センサ８２と電気的に接続されており、第２冷媒漏洩センサ８２からの信号を出力される。
【００６４】
（１−４）第１冷媒漏洩センサ８１、第２冷媒漏洩センサ８２
第１冷媒漏洩センサ８１は、第１利用ユニット５０内における冷媒漏洩を検知するためのセンサである。第２冷媒漏洩センサ８２は、第２利用ユニット６０内における冷媒漏洩を検知するためのセンサである。このように、冷媒漏洩センサ８１、８２は、対応する利用ユニット５０、６０のケーシング内に配置されている。本実施形態では、第１冷媒漏洩センサ８１および第２冷媒漏洩センサ８２は、公知の汎用品が用いられる。
【００６５】
第１冷媒漏洩センサ８１と第２冷媒漏洩センサ８２は、それぞれ、冷媒漏洩を検出すると、冷媒漏洩が生じている旨を示す電気信号（以下、「冷媒漏洩信号」と記載）を、接続されている第１利用ユニット制御部５７または第２利用ユニット制御部６７に対して出力する。
【００６６】
（１−５）第１リモコン５０ａ、第２リモコン６０ａ
第１リモコン５０ａは、第１利用ユニット５０のユーザが冷凍装置１００の運転状態を切り換えるための各種指示を入力するための入力装置である。また、第１リモコン５０ａは、冷凍装置１００の運転状態や所定の報知情報を表示するための表示装置としても機能する。第１リモコン５０ａは、第１利用ユニット制御部５７と通信線を介して接続されており、相互に信号の送受信を行っている。
【００６７】
第２リモコン６０ａも、第１リモコン５０ａと同様であり、第２利用ユニット６０のユーザが冷凍装置１００の運転状態を切り換えるための各種指示を入力するための入力装置、表示装置である。第２リモコン６０ａは、第２利用ユニット制御部６７と通信線を介して接続されており、相互に信号の送受信を行っている。
【００６８】
（２）コントローラ７０の詳細
冷凍装置１００では、熱源ユニット制御部２０と、第１利用ユニット制御部５７および第２利用ユニット制御部６７と、が通信線を介して接続されることで、冷凍装置１００の動作を制御するコントローラ７０が構成されている。
【００６９】
図２は、コントローラ７０の概略構成と、コントローラ７０に接続される各部と、を模式的に示したブロック図である。
【００７０】
コントローラ７０は、複数の制御モードを有し、遷移している制御モードに応じて冷凍装置１００の運転を制御する。例えば、コントローラ７０は、制御モードとして、平常時に遷移する通常運転モードと、冷媒漏洩が生じた場合に遷移する冷媒漏洩制御モードと、を有している。
【００７１】
コントローラ７０は、熱源ユニット２に含まれる各アクチュエータ（具体的には、圧縮機２１（圧縮機モータＭ２１）、熱源側膨張弁２８、インジェクション弁２７、ホットガスバイパス弁４１、および熱源側ファン３４（熱源側ファンモータＭ３４））と、各種センサ（吸入圧力センサ３６、吐出圧力センサ３７、レシーバ出口温度センサ３８、および熱源側空気温度センサ３９等）と、電気的に接続されている。また、コントローラ７０は、第１利用ユニット５０に含まれるアクチュエータ（具体的には、第１利用側ファン５３（第１利用側ファンモータＭ５３）、第１利用側膨張弁５４、および第１開閉弁５５）と電気的に接続されている。また、コントローラ７０は、第２利用ユニット６０に含まれるアクチュエータ（具体的には、第２利用側ファン６３（第２利用側ファンモータＭ６３）、第２利用側膨張弁６４、および第２開閉弁６５）と電気的に接続されている。また、コントローラ７０は、第１冷媒漏洩センサ８１、第２冷媒漏洩センサ８２と、第１リモコン５０ａ、第２リモコン６０ａと、電気的に接続されている。
【００７２】
コントローラ７０は、主として、記憶部７１と、通信部７２と、モード制御部７３と、アクチュエータ制御部７４と、表示制御部７５と、を有している。なお、コントローラ７０内におけるこれらの各部は、熱源ユニット制御部２０および／又は利用ユニット制御部５７に含まれる各部が一体的に機能することによって実現されている。
【００７３】
（２−１）記憶部７１
記憶部７１は、例えば、ROM、RAM、およびフラッシュメモリ等で構成されており、揮発性の記憶領域と不揮発性の記憶領域を含む。記憶部７１には、コントローラ７０の各部における処理を定義した制御プログラムが格納されている。また、記憶部７１は、コントローラ７０の各部によって、所定の情報（例えば、各センサの検出値、第１リモコン５０ａ、第２リモコン６０ａに入力されたコマンド等）を、所定の記憶領域に適宜格納される。
【００７４】
（２−２）通信部７２
通信部７２は、コントローラ７０に接続される各機器と、信号の送受信を行うための通信インターフェースとしての役割を果たす機能部である。通信部７２は、アクチュエータ制御部７４からの依頼を受けて、指定されたアクチュエータに所定の信号を送信する。また、通信部７２は、各種センサ（３６〜３９）、第１冷媒漏洩センサ８１、第２冷媒漏洩センサ、第１リモコン５０ａ、および第２リモコン６０ａから出力された信号を受けて、記憶部７１の所定の記憶領域に格納する。
【００７５】
（２−３）モード制御部７３
モード制御部７３は、制御モードの切り換え等を行う機能部である。モード制御部７３は、第１冷媒漏洩センサ８１も第２冷媒漏洩センサ８２もいずれも冷媒漏洩を検知していない状態にある場合には、制御モードを通常運転モードとする。
【００７６】
一方、モード制御部７３は、第１冷媒漏洩センサ８１と第２冷媒漏洩センサ８２のいずれかにおいて冷媒漏洩が検知された場合には、制御モードを冷媒漏洩制御モードに切り換え、第１冷媒漏洩センサ８１と第２冷媒漏洩センサ８２のうち冷媒漏洩を検知したセンサに応じた冷媒漏洩制御モードに切り換える。
【００７７】
（２−４）アクチュエータ制御部７４
アクチュエータ制御部７４は、制御プログラムに沿って、状況に応じて、冷凍装置１００に含まれる各アクチュエータ（例えば圧縮機２１や開閉弁５５等）の動作を制御する。
【００７８】
例えば、アクチュエータ制御部７４は、通常運転モード時には、設定温度や各種センサの検出値等に応じて、圧縮機２１の回転数、熱源側ファン３４および利用側ファン５３、６３の回転数、およびインジェクション弁２７の開度等をリアルタイムに制御する。なお、通常運転モードでは、アクチュエータ制御部７４は、熱源側膨張弁２８が全開状態となるように制御する。また、通常運転モード時には、アクチュエータ制御部７４は、吸入圧力の目標値を第１利用ユニット５０および第２利用ユニット６０で要求される冷却負荷に応じて設定し、吸入圧力が目標値になるように圧縮機２１の運転周波数を制御する。また、通常運転モード時には、アクチュエータ制御部７４は、ホットガスバイパス弁４１を全閉状態に制御し、ホットガスバイパス管４０には冷媒を流さない。
【００７９】
また、アクチュエータ制御部７４は、冷媒漏洩制御モード時には、所定の運転が行われるように各アクチュエータの動作を制御する。具体的には、アクチュエータ制御部７４は、通常御運転モード時と同様に吸入圧力が目標値になるように圧縮機２１の運転周波数を制御し続け、第１利用ユニット５０と第２利用ユニット６０のうち冷媒漏洩が生じた利用ユニット（以下、「漏洩ユニット」という）について、漏洩ユニットに対する冷媒の供給を途絶えさせるために、開閉弁（第１開閉弁５５または第２開閉弁６５）を閉じる制御を行う。他方で、第１利用ユニット５０と第２利用ユニット６０のうち冷媒漏洩が生じていない利用ユニット（以下、「非漏洩ユニット」という）については、非漏洩ユニットの熱交換器を利用した冷却を継続させるために、開閉弁（第１開閉弁５５または第２開閉弁６５）を開けた状態に制御する。そして、アクチュエータ制御部７４は、上述のように冷媒漏洩検知直後は圧縮機２１の駆動状態を維持させようとするものの、漏洩ユニットの逆止弁（第１逆止弁５１または第２逆止弁６１）よりも圧縮機２１の吸入側の冷媒圧力の方が、漏洩ユニットの逆止弁やその利用側熱交換器側の冷媒圧力よりも高く維持されるように、吸入圧力の低下を確実に抑制するために、圧縮機２１の吐出側の高圧冷媒の圧力を漏洩ユニットの逆止弁よりも圧縮機２１の吸入側に作用させる（ホットガスバイパス弁４１を開いた状態に制御する）。さらに、アクチュエータ制御部７４は、冷媒漏洩制御モード時には、熱源側膨張弁２８の下流側を流れる冷媒の圧力を低下させるために、熱源側膨張弁２８の弁開度を絞る。
【００８０】
（２−５）表示制御部７５
表示制御部７５は、表示装置としての第１リモコン５０ａおよび第２リモコン６０ａの動作を制御する機能部である。
【００８１】
表示制御部７５は、運転状態や状況に係る情報を管理者に対して表示すべく、第１リモコン５０ａおよび第２リモコン６０ａに所定の情報を出力させる。
【００８２】
例えば、表示制御部７５は、通常運転モードで冷却運転中には、設定温度等の各種情報を第１リモコン５０ａおよび第２リモコン６０ａに表示させる。
【００８３】
また、表示制御部７５は、冷媒漏洩制御モード時には、冷媒漏洩が生じていることおよび第１利用ユニット５０および第２利用ユニット６０のうちの冷媒漏洩が生じている利用ユニットを具体的に表す情報を、第１リモコン５０ａおよび第２リモコン６０ａに表示させる。また、表示制御部７５は、冷媒漏洩制御モードにおいて、冷媒漏洩が生じていない運転可能な利用ユニットである非漏洩ユニットについては動作継続中であることを表す報知情報、およびサービスエンジニアへの通知を促す情報を、第１リモコン５０ａおよび第２リモコン６０ａに表示させる。
【００８４】
（３）通常運転モードの冷媒の流れ
以下、通常運転モードにおける冷媒回路１０における冷媒の流れについて説明する。
【００８５】
冷凍装置１００では、運転時に、冷媒回路１０に充填された冷媒が、主として、圧縮機２１、熱源側熱交換器２３、レシーバ２４、過冷却器２５、熱源側膨張弁２８、利用側膨張弁５４、６４、利用側熱交換器５２、６２の順に循環する冷却運転（冷凍サイクル運転）が行われる。
【００８６】
冷却運転が開始されると、冷媒回路１０内において、冷媒が圧縮機２１に吸入されて圧縮された後に吐出される。ここで、冷凍サイクルにおける低圧は、吸入圧力センサ３６によって検出される吸入圧力であり、冷凍サイクルにおける高圧は、吐出圧力センサ３７によって検出される吐出圧力である。
【００８７】
圧縮機２１では、第１利用ユニット５０および第２利用ユニット６０で要求される冷却負荷に応じた容量制御が行われる。具体的には、吸入圧力の目標値が第１利用ユニット５０および第２利用ユニット６０で要求される冷却負荷に応じて設定され、吸入圧力が目標値になるように圧縮機２１の運転周波数が制御される。
【００８８】
圧縮機２１から吐出されたガス冷媒は、吐出側冷媒管３１を経て、熱源側熱交換器２３のガス側端に流入する。
【００８９】
なお、通常運転モード時には、ホットガスバイパス弁４１は全閉状態とされ、ホットガスバイパス管４０には冷媒は流れない。
【００９０】
熱源側熱交換器２３のガス側端に流入したガス冷媒は、熱源側熱交換器２３において、熱源側ファン３４によって供給される熱源側空気と熱交換を行って放熱して凝縮し、液冷媒となって熱源側熱交換器２３の液側端から流出する。
【００９１】
熱源側熱交換器２３の液側端から流出した液冷媒は、熱源側液冷媒管３２の熱源側熱交換器２３からレシーバ２４までの間の部分を経て、レシーバ２４の入口に流入する。レシーバ２４に流入した液冷媒は、レシーバ２４において飽和状態の液冷媒として一時的に溜められた後に、レシーバ２４の出口から流出する。
【００９２】
レシーバ２４の出口から流出した液冷媒は、熱源側液冷媒管３２のレシーバ２４から過冷却器２５までの間の部分を経て、過冷却器２５の熱源側液冷媒管３２側の入口に流入する。
【００９３】
過冷却器２５に流入した液冷媒は、過冷却器２５において、インジェクション管２６を流れる冷媒と熱交換を行ってさらに冷却されて過冷却状態の液冷媒になり、過冷却器２５の熱源側膨張弁２８側の出口から流出する。なお、ここで、インジェクション弁２７の弁開度は、コントローラ７０によって、過冷却器２５から熱源側膨張弁２８に向けて流れる冷媒が所定の正の過冷却度を有するように制御される。
【００９４】
過冷却器２５の熱源側膨張弁２８側の出口から流出した液冷媒は、熱源側液冷媒管３２における過冷却器２５と熱源側膨張弁２８との間の部分を経て、熱源側膨張弁２８に流入する。このとき、過冷却器２５の熱源側膨張弁２８側の出口から流出した液冷媒の一部は、熱源側液冷媒管３２における過冷却器２５と熱源側膨張弁２８との間の部分からインジェクション管２６に分岐されるようになっている。
【００９５】
インジェクション管２６を流れる冷媒は、インジェクション弁２７によって冷凍サイクルにおける中間圧になるまで減圧される。インジェクション弁２７によって減圧された後のインジェクション管２６を流れる冷媒は、過冷却器２５のインジェクション管２６側の入口に流入する。過冷却器２５のインジェクション管２６側の入口に流入した冷媒は、過冷却器２５において、熱源側液冷媒管３２を流れる冷媒と熱交換を行って加熱されてガス冷媒になる。そして、過冷却器２５において加熱された冷媒は、過冷却器２５のインジェクション管２６側の出口から流出して、圧縮機２１の圧縮工程の途中に戻される。
【００９６】
熱源側膨張弁２８は、通常運転モードでは全開状態に制御されているため、熱源側液冷媒管３２から熱源側膨張弁２８に流入した液冷媒は、減圧されることなく熱源側膨張弁２８を通過し、その後に、液側閉鎖弁２９、および液側冷媒連絡配管６を経て、運転中の第１利用ユニット５０および第２利用ユニット６０に流入する。
【００９７】
第１利用ユニット５０に流入した冷媒は、第１開閉弁５５および第１利用側液冷媒管５９の一部を経て、第１利用側膨張弁５４に流入する。第１利用側膨張弁５４に流入した冷媒は、第１利用側膨張弁５４によって冷凍サイクルにおける低圧になるまで減圧されて、第１利用側液冷媒管５９を経て第１利用側熱交換器５２の液側端に流入する。第１利用側熱交換器５２の液側端に流入した冷媒は、第１利用側熱交換器５２において、第１利用側ファン５３によって供給される利用側空気と熱交換を行って蒸発し、ガス冷媒となって第１利用側熱交換器５２のガス側端から流出する。第１利用側熱交換器５２のガス側端から流出したガス冷媒は、第１逆止弁５１、第１利用側ガス冷媒管５８を介して、ガス側冷媒連絡配管７に流れていく。
【００９８】
第２利用ユニット６０に流入した冷媒は、第１利用ユニット５０と同様に、第２開閉弁６５および第２利用側液冷媒管６９の一部を経て、第２利用側膨張弁６４に流入する。第２利用側膨張弁６４に流入した冷媒は、第２利用側膨張弁６４によって冷凍サイクルにおける低圧になるまで減圧されて、第２利用側液冷媒管６９を経て第２利用側熱交換器６２の液側端に流入する。第２利用側熱交換器６２の液側端に流入した冷媒は、第２利用側熱交換器６２において、第２利用側ファン６３によって供給される利用側空気と熱交換を行って蒸発し、ガス冷媒となって第２利用側熱交換器６２のガス側端から流出する。第２利用側熱交換器６２のガス側端から流出したガス冷媒は、第２逆止弁６１、第２利用側ガス冷媒管６８を介して、ガス側冷媒連絡配管７に流れていく。
【００９９】
このようにして、第１利用ユニット５０から流出した冷媒と、第２利用ユニット６０から流出した冷媒とは、ガス側冷媒連絡配管７において合流し、ガス側閉鎖弁３０および吸入側冷媒管３３を経て、再び、圧縮機２１に吸入される。
【０１００】
（４）冷媒漏洩制御モード時のコントローラ７０による処理の流れ
以下、通常運転モード時に冷媒の漏洩が生じた場合のコントローラ７０の処理の流れの一例を、図３のフローチャートを参照しながら説明する。
【０１０１】
ここでは、第１利用ユニット５０と第２利用ユニット６０のうちの第１利用ユニット５０において冷媒漏洩が生じ（第１利用ユニット５０が漏洩ユニットである場合）、第２利用ユニット６０で冷却動作を継続させる場合（第２利用ユニット６０が非漏洩ユニットである場合）を例に挙げて説明するが、いずれの利用ユニットで冷媒漏洩が生じても処理は同様である。
【０１０２】
ステップＳ１０では、コントローラ７０は、第１冷媒漏洩センサ８１または第２冷媒漏洩センサ８２のいずれかから冷媒漏洩信号を受信している場合（すなわち、第１利用ユニット５０と第２利用ユニット６０のいずれかにおいて冷媒漏洩が生じていると想定される場合）には、ステップＳ１０へ移行する。一方、第１冷媒漏洩センサ８１と第２冷媒漏洩センサ８２のいずれからも冷媒漏洩信号を受信していない場合（すなわち、第１冷媒漏洩センサ８１と第２冷媒漏洩センサ８２のいずれにおいても冷媒漏洩が生じていないと想定される場合）には、通常運転モードを継続させ、ステップＳ１０を繰り返す。
【０１０３】
ステップＳ１１では、コントローラ７０は、圧縮機２１を駆動させたままで、第１利用ユニット５０と第２利用ユニット６０のうち冷媒漏洩が生じた利用ユニット（漏洩ユニット）の開閉弁を閉じる制御を行う（すなわち、この例では、第１開閉弁５５を閉じる制御を行う。）。なお、第１利用ユニット５０と第２利用ユニット６０のうち冷媒漏洩が生じていない利用ユニット（非漏洩ユニット）の開閉弁は、開けられた状態で維持されるように制御しておく（すなわち、この例では、第２開閉弁６５が開けられた状態で維持されるように制御する。）。そして、ステップＳ１２に移行する。
【０１０４】
なお、コントローラ７０は、冷媒漏洩が生じた利用ユニット（漏洩ユニット）の開閉弁を閉じるための制御を行うが、当該漏洩ユニットの開閉弁は、完全に閉じきることができず、意図せず僅かに弁開度が開いた状態になることがある。
【０１０５】
ステップＳ１２では、コントローラ７０は、冷媒漏洩が生じたこと、および、冷媒漏洩が生じた漏洩ユニットがどの利用ユニットであるか、を示す情報を、第１リモコン５０ａ、第２リモコン６０ａにおいて報知させる。ここでの報知は、ディスプレイ表示および音声出力の両方とすることができる。
【０１０６】
ステップＳ１３では、コントローラ７０は、ホットガスバイパス弁４１を開けて、ホットガスバイパス管４０に冷媒を流す。ここで、ホットガスバイパス弁４１の弁開度は、特に限定されないが、例えば、予め定めた所定開度となるように制御されてもよいし、吸入圧力センサ３６が検知する吸入圧力の値が大気圧より大きな値で維持されるように制御されてもよし、吸入圧力センサ３６の検知値がホットガスバイパス弁４１を開ける前よりもホットガスバイパス弁４１を開けた後の方が大きくなるように制御されてもよい。これにより、漏洩箇所を介して冷媒回路１０内に大気中の空気が取り込まれてしまうことを抑制することが可能になっている。その後、ステップＳ１４に移行する。
【０１０７】
ステップＳ１４では、コントローラ７０は、熱源側膨張弁２８の下流側を流れる冷媒の圧力を低下させるために、熱源側膨張弁２８の弁開度を絞る。特に限定されないが、本実施形態では、コントローラ７０は、全開状態よりも弁開度が小さい所定の弁開度となるように熱源側膨張弁２８の弁開度を絞る。これにより、漏洩ユニットに対する冷媒の供給を抑制させつつ、非漏洩ユニットにおいては冷却動作を継続させることが可能になる。その後、ステップＳ１５に移行する。
【０１０８】
ステップＳ１５では、コントローラ７０は、ステップＳ１２の報知により冷媒漏洩に気付いたサービスエンジニアが現地に到着し、当該サービスエンジニア等により第１リモコン５０ａまたは第２リモコン６０ａを介して新たなコマンドが入力されるのを待って、当該コマンドに従った処理を行う。
【０１０９】
（５）冷凍装置１００の特徴
（５−１）
本実施形態に係る冷凍装置１００では、冷媒漏洩が生じた際に、漏洩ユニットの開閉弁を閉じる制御を行うことで（第１利用ユニット５０で冷媒漏洩が生じた場合には第１開閉弁５５を閉じる制御を行い、第２利用ユニット６０で冷媒漏洩が生じた場合には第２開閉弁６５を閉じる制御を行うことで）、漏洩ユニットに対するさらなる冷媒の供給を抑制し、漏洩ユニットにおける冷媒の漏洩量の増大を抑制させることができている。
【０１１０】
（５−２）
また、冷媒漏洩が生じていないユニットである非漏洩ユニットの開閉弁についは開いた状態を維持させる制御を行うことで（第１利用ユニット５０で冷媒漏洩が生じた場合には第２開閉弁６５を開いた状態にする制御を行い、第２利用ユニット６０で冷媒漏洩が生じた場合には第１開閉弁５５を開いた状態にする制御を行うことで）、漏洩ユニットでの冷却動作を停止させた場合であっても、非漏洩ユニットにおいては冷却動作を継続させることが可能になっている。これにより、少なくとも冷媒漏洩が生じていないユニットである非漏洩ユニットについては、冷却対象を冷却させ続けることが可能になるため、冷却が途絶えることによる被冷却対象への不具合等を抑制させることが可能になる。
【０１１１】
（５−３）
一般に、第１利用ユニット５０の第１開閉弁５５や第２利用ユニットの第２開閉弁６５のような弁では、全閉状態に制御しようとしても、完全に閉じきることができず、意図せず僅かに弁開度が開いた状態になることがある。このように意図せず弁開度が僅かに開いた状態になる場合には、漏洩ユニットの開閉弁を漏れ通る冷媒が利用側熱交換器側に向けて流れて行ってしまい、意図せず漏洩状態が継続してしまうおそれがある。
【０１１２】
そして、漏洩ユニットにおける開閉弁に対する液側冷媒連絡配管６側の冷媒の圧力が高い場合には、漏洩ユニットの開閉弁の前後における冷媒差圧が大きくなるため、漏洩ユニットの開閉弁を漏れ通る冷媒量が多くなりがちである。特に、非漏洩ユニットにおける冷却動作を継続させるために、非漏洩ユニットに対して冷媒を循環させ続ける場合には、漏洩ユニットにおける開閉弁の液側冷媒連絡配管６側には冷媒の圧力が作用し続けることになる。
【０１１３】
これに対して、本実施形態の冷凍装置１００では、通常運転モード時とは異なり、冷媒漏洩制御モード時には、コントローラ７０が、熱源側膨張弁２８を通過する冷媒の圧力を低下させるように、熱源側膨張弁２８の弁開度を絞る（本実施形態では、所定の弁開度となるまで熱源側膨張弁２８の弁開度を絞る）。このため、熱源側膨張弁２８を通過した後、液側冷媒連絡配管６を流れる冷媒の圧力を下げることができ、漏洩ユニットの開閉弁の前後における冷媒差圧を小さくすることが可能になる（漏洩ユニットの開閉弁の漏洩箇所側は大気圧が作用していると考えられるため、漏洩ユニットの開閉弁の液側冷媒連絡配管６側の冷媒圧力と大気圧との差を小さくすることが可能になる、ということになる。）。このため、漏洩ユニットの開閉弁に対して閉じる制御を行ったとしても完全に閉じきることができない場合があっても、当該漏洩ユニットの開閉弁を介して漏洩箇所に冷媒が供給される程度を小さく抑えることが可能になる。これにより、漏洩ユニットにおける冷媒漏洩量が増大することによる不具合を生じにくくし（例えば、可燃性冷媒を用いていた場合には漏洩冷媒濃度が上昇して可燃域に達するまでの時間を長くでき）、サービスエンジニアが現地に到着するまでの時間を確保しやすくなる。
【０１１４】
また、熱源側膨張弁２８の弁開度を絞る制御を行うことにより、熱源側熱交換器２３で放熱して利用ユニット５０、６０側に向かう冷媒の圧力を下げることができている。これにより、熱源側熱交換器２３において冷媒に放熱させる際の冷媒圧力（放熱器としての熱源側熱交換器２３を流れる冷媒の圧力）を大きく下げる必要を無くすることができる。
【０１１５】
（５−４）
なお、本実施形態の冷凍装置１００では、熱源側膨張弁２８の弁開度を絞る制御を行うことにより、熱源側膨張弁２８から非漏洩ユニット側に向けて流れる冷媒の圧力を下げる場合であっても、過冷却器２５を用いることで熱源側膨張弁２８に流入する冷媒を過冷却させることが可能になっている。これにより、熱源側膨張弁２８で減圧された冷媒にフラッシュが生じることを抑制させることが可能になり、非漏洩ユニットに対して液相冷媒を供給させやすくなっている。
【０１１６】
（５−５）
また、非漏洩ユニットに対して冷媒が供給され続けるが、非漏洩ユニットの利用側熱交換器において蒸発し、非漏洩ユニットから流出した冷媒は、再び、圧縮機２１の吸入側に向けて流れていくこととなる。ここで、漏洩ユニットにおける圧縮機２１の吸入側の部分には、逆止弁が設けられていることから、非漏洩ユニットから圧縮機２１の吸入側に冷媒を流す場合であっても、漏洩ユニットに向けて冷媒が流れ込むことが抑制されている。これによっても、漏洩ユニットにおける冷媒の漏洩量の増大を抑制させることができている。
【０１１７】
（５−６）
さらに、本実施形態に係る冷凍装置１００では、冷媒漏洩が生じた場合には、ホットガスバイパス弁４１を開けて、ホットガスバイパス管４０に冷媒を流すことで、圧縮機２１の吐出冷媒の高圧を、漏洩ユニットの逆止弁から圧縮機２１の吸入側までの間に作用させて、冷媒圧力を高めることができている。このため、漏洩ユニットの逆止弁よりも上流側（利用側ガス冷媒管、利用側熱交換器、利用側液冷媒管、利用側膨張弁）の冷媒漏洩箇所における冷媒圧力よりも、漏洩ユニットの逆止弁から圧縮機２１の吸入側までの間の冷媒圧力が小さくなる状況を回避し、漏洩ユニットの漏洩箇所を介して空気が冷媒回路１０内に混入してしまうことを抑制することが可能になっている。これにより、冷媒回路１０内に空気が混入してしまった場合に生じうる圧縮機２１等の機器へのダメージを抑制させることができている。
【０１１８】
（６）変形例
上記実施形態は、以下の変形例に示すように適宜変形が可能である。なお、各変形例は、矛盾が生じない範囲で他の変形例と組み合わせて適用されてもよい。
【０１１９】
（６−１）変形例Ａ
上記実施形態では、第１利用ユニット５０において第１利用側熱交換器５２の冷媒の入口側に第１開閉弁５５および感温式の第１利用側膨張弁５４を設け、第２利用ユニット６０において第２利用側熱交換器６２の冷媒の入口側に第２開閉弁６５および感温式の第２利用側膨張弁６４を設けた冷凍装置１００を例に挙げて説明した。
【０１２０】
しかし、図４に示すように、これらの第１開閉弁５５および感温式の第１利用側膨張弁５４の代わりに第１利用側電子膨張弁１５５を設け、第２開閉弁６５および感温式の第２利用側膨張弁６４の代わりに第２利用側電子膨張弁１６５を設けた冷凍装置１００ａとしてもよい。
【０１２１】
ここで、第１利用側電子膨張弁１５５および第２利用側電子膨張弁１６５は、いずれもコントローラ７０と電気的に接続されており、コントローラ７０によって開度制御が可能な膨張弁である。
【０１２２】
この第１利用側電子膨張弁１５５および第２利用側電子膨張弁１６５における通常運転モード時における膨張動作については、コントローラ７０がそれぞれの開度を適宜調整することで、上記実施形態の冷凍装置１００と同様の効果を奏することが可能である。
【０１２３】
また、第１利用側電子膨張弁１５５および第２利用側電子膨張弁１６５の冷媒漏洩制御モード時の動作については、第１利用側電子膨張弁１５５および第２利用側電子膨張弁１６５のうち漏洩ユニット側のものについては全閉させる制御を行いつつ（最小開度にさせる制御を行いつつ）、非漏洩ユニット側のものについては膨張動作を継続させる制御を行うことで、上記実施形態の冷凍装置１００と同様の効果を奏することが可能である。
【０１２４】
そして、この第１利用側電子膨張弁１５５および第２利用側電子膨張弁１６５を用いた冷凍装置１００ａにおいても、上記実施形態と同様に、漏洩ユニットにおける電子膨張弁（第１利用側電子膨張弁１５５または第２利用側電子膨張弁１６５）の前後の冷媒差圧が小さくなることで、冷媒漏洩量を小さく抑えることが可能である。
【０１２５】
（６−２）変形例Ｂ
上記実施形態では、冷媒漏洩制御モードでは、熱源側膨張弁２８において冷媒圧力を低下させることにより、非漏洩ユニット側に送られる冷媒の圧力を低下させる制御を行う場合を例に挙げて説明した（ステップＳ１４参照）。
【０１２６】
これに対して、非漏洩ユニット側に送られる冷媒の圧力を低下させる手法は、これに限られるものではなく、例えば、図５に示すように、上記実施形態のステップＳ１４の代わりに、圧縮機２１の駆動周波数を強制的に落とすステップ１４ａの処理を行って、冷媒の圧力を低下させる制御を行うようにしてもよい。
【０１２７】
具体的には、例えば、冷媒漏洩制御モード時の圧縮機２１の駆動周波数を、第１冷媒漏洩センサ８１または第２冷媒漏洩センサ８２において冷媒漏洩が検知された際の圧縮機２１における駆動周波数よりも小さくなるように、コントローラ７０が圧縮機２１を制御するようにしてもよい。ここでの圧縮機２１の駆動周波数の下げ方は特に限定されないが、例えば、所定の駆動周波数分だけ強制的に下げるようにしてもよいし、非漏洩ユニットとの間で冷凍サイクルを実現できる程度の差圧を生じさせることが可能な限度で圧縮機２１の駆動周波数をできるだけ下げるようにしてもよい。
【０１２８】
この場合であっても、漏洩ユニットの開閉弁等の前後の冷媒差圧が小さくなることで、冷媒漏洩量を小さく抑えることが可能である。
【０１２９】
なお、上記実施形態のステップＳ１４の処理と、このステップＳ１４ａの処理と、の両方を同時に行うようにしてもよい。すなわち、熱源側膨張弁２８において冷媒を減圧させつつ、圧縮機２１の駆動周波数も強制的に落とすようにしてもよい。この場合においても、冷媒漏洩量を小さく抑えることが可能である。
【０１３０】
（６−３）変形例Ｃ
上記実施形態では、冷媒漏洩制御モードでは、熱源側膨張弁２８において冷媒圧力を低下させることにより、非漏洩ユニット側に送られる冷媒の圧力を低下させる制御を行う場合を例に挙げて説明した（ステップＳ１４参照）。
【０１３１】
これに対して、非漏洩ユニット側に送られる冷媒の圧力を低下させる手法は、これに限られるものではなく、例えば、図６に示すように、上記実施形態のステップＳ１４の代わりに、熱源側ファン３４の風量を強制的に増大させるステップ１４ｂの処理を行って、冷媒の圧力を低下させる制御を行うようにしてもよい。
【０１３２】
具体的には、例えば、冷媒漏洩制御モード時の熱源側ファン３４の風量を、第１冷媒漏洩センサ８１または第２冷媒漏洩センサ８２において冷媒漏洩が検知された際の熱源側ファン３４の風量よりも大きくするように、コントローラ７０が熱源側ファン３４を制御するようにしてもよい。ここでの熱源側ファン３４の風量の上げ方は特に限定されないが、例えば、熱源側ファンモータＭ３４の回転数が所定の回転数分だけ強制的に上げるように制御してもよいし、強制的に最大風量となるように制御してもよい。
【０１３３】
この場合であっても、熱源側ファン３４の風量が増大することで熱源側熱交換器２３における冷媒の放熱が促進され、熱源側熱交換器２３における冷媒圧力を低下させ、漏洩ユニットの開閉弁等の前後の冷媒差圧が小さくなることで、冷媒漏洩量を小さく抑えることが可能である。
【０１３４】
なお、上記実施形態のステップＳ１４の処理と、このステップＳ１４ｂの処理と、の両方を同時に行うようにしてもよい。すなわち、熱源側膨張弁２８において冷媒を減圧させつつ、熱源側ファン３４の風量を強制的に増大させるようにしてもよい。さらには、上記実施形態のステップＳ１４の処理と、変形例Ｂのステップ１４ａの処理と、このステップＳ１４ｂの処理と、の全てを同時に行うことで、熱源側膨張弁２８において冷媒を減圧させつつ、圧縮機２１の駆動周波数も強制的に落としつつ、熱源側ファン３４の風量を強制的に増大させるようにしてもよい。これらの場合においても、冷媒漏洩量を小さく抑えることが可能である。
【０１３５】
（６−４）変形例Ｄ
上記実施形態の冷凍装置１００では、冷媒漏洩制御モード時に、熱源側膨張弁２８の弁開度を所定の弁開度まで絞る制御を例に挙げて説明した。
【０１３６】
これに対して、非漏洩ユニット側に送られる冷媒の圧力を低下させる程度は、このような所定の弁開度まで熱源側膨張弁２８を絞る制御による圧力低下程度に限られるものではなく、例えば、熱源側膨張弁２８を通過した冷媒が気液二相状態の冷媒にならず液単相状態で維持される範囲で冷媒の圧力を下げるようにしてもよいし、当該範囲内で最小値となるように冷媒の圧力を下げるようにしてもよいし、さらには熱源側膨張弁２８から非漏洩ユニットまで冷媒が流れる際の圧力損失分（予め定めた圧力損失分）だけ当該範囲の最小値よりも大きな圧力まで冷媒の圧力を下げるようにしてもよい。
【０１３７】
また、上記実施形態では、通常運転モード時に熱源側膨張弁２８を全開状態に制御していた。しかし、これに限られず、通常運転モード時に熱源側膨張弁２８を絞る制御を行いつつ、冷媒漏洩制御モード時には熱源側膨張弁２８の弁開度を通常運転モード時よりもさらに絞るように制御するようにしてもよい。
【０１３８】
（６−５）変形例Ｅ
上記実施形態では、ホットガスバイパス管４０が設けられた冷凍装置１００を例に挙げて説明した。
【０１３９】
しかし、ホットガスバイパス管４０は任意であり、省略可能である。また、上記実施形態のステップＳ１３におけるホットガスバイパス管４０に冷媒を流す処理も省略するようにしてもよい。
【０１４０】
（６−６）変形例Ｆ
上記実施形態では、圧縮機２１の圧縮工程の途中段階に冷媒をインジェクションさせるインジェクション管２６が設けられた冷凍装置１００を例に挙げて説明した。
【０１４１】
これに対して、例えば、上記実施形態のインジェクション管２６の代わりに、圧縮機２１の吸入側に冷媒をインジェクションさせるインジェクション管を用いてもよい。
【０１４２】
（６−７）変形例Ｇ
上記実施形態では、各利用ユニット５０の冷媒漏洩を検出するために冷媒漏洩センサ８１が配置されていた。しかし、冷媒漏洩センサ８１によらずとも各利用ユニット５０の冷媒漏洩を検出可能な場合には、冷凍装置１００において冷媒漏洩センサ８１は必ずしも必要ない。
【０１４３】
例えば、各利用ユニット５０内に冷媒圧力センサや冷媒温度センサ等のセンサを配置し、係るセンサの検出値の変化に基づき、各利用ユニット５０における冷媒漏洩を個別に検出可能な場合には冷媒漏洩センサ８１を省略してもよい。
【０１４４】
（６−８）変形例Ｈ
上記実施形態では、冷蔵倉庫や店舗のショーケースの庫内の冷却を行う冷凍装置１００を例に挙げて説明した。
【０１４５】
しかし、これに限定されず、輸送コンテナ内の冷却を行う冷凍装置としてもよいし、建物内の冷房等を行うことで空気調和を実現する空調システム（エアコン）としてもよい。
【０１４６】
（６−９）変形例Ｉ
上記実施形態では、Ｒ３２が冷媒回路１０を循環する冷媒として用いられていた。
【０１４７】
しかし、冷媒回路１０で用いられる冷媒は、特に限定されない。例えば、冷媒回路１０では、ＨＦＯ１２３４ｙｆ、ＨＦＯ１２３４ｚｅやこれらの冷媒の混合冷媒などが、Ｒ３２に代えて用いられてもよい。また、冷媒回路１０では、Ｒ４０７ＣやＲ４１０Ａ等のＨＦＣ系冷媒が用いられてもよい。また、冷媒回路１０では、プロパンのような燃焼性を有する冷媒、又は、アンモニアのような毒性を有する冷媒が用いられてもよい。
【産業上の利用可能性】
【０１４８】
本発明は、冷凍装置に利用可能である。
【符号の説明】
【０１４９】
２      ：熱源ユニット
６      ：液側冷媒連絡配管
７      ：ガス側冷媒連絡配管
１０      ：冷媒回路
２０      ：熱源ユニット制御部
２１      ：圧縮機
２３      ：熱源側熱交換器
２４      ：レシーバ
２５      ：過冷却器（過冷却熱交換器）
２６      ：インジェクション管（過冷却管）
２７      ：インジェクション弁（過冷却膨張弁）
２８      ：熱源側膨張弁
３４      ：熱源側ファン
３６      ：吸入圧力センサ
３７      ：吐出圧力センサ
４０      ：ホットガスバイパス管
４１      ：ホットガスバイパス弁
５０      ：第１利用ユニット
５１      ：第１逆止弁
５２      ：第１利用側熱交換器
５４      ：第１利用側膨張弁
５５      ：第１開閉弁（利用側弁）
５７      ：第１利用ユニット制御部
５８      ：第１利用側ガス冷媒管
５９      ：第１利用側液冷媒管
６０      ：第２利用ユニット
６１      ：第２逆止弁
６２      ：第２利用側熱交換器
６４      ：第２利用側膨張弁
６５      ：第２開閉弁（利用側弁）
６７      ：第２利用ユニット制御部
６８      ：第２利用側ガス冷媒管
６９      ：第２利用側液冷媒管
７０      ：コントローラ（制御部）
８１      ：第１冷媒漏洩センサ
８２      ：第２冷媒漏洩センサ
１００、１００ａ    ：冷凍装置
１５５    ：第１利用側電子膨張弁
１６５    ：第２利用側電子膨張弁
【先行技術文献】
【特許文献】
【０１５０】
【特許文献１】特開２００２―２２８２８１号公報
【図１】
2018036030.tif 000003
【図２】
2018036030.tif 000004
【図３】
2018036030.tif 000005
【図４】
2018036030.tif 000006
【図５】
2018036030.tif 000007
【図６】
2018036030.tif 000008